(57)【要約】【課題】歯間ブラシを安価に製造する。また、歯間ブラシに視覚的な訴求力を付加する。【解決手段】歯間ブラシの製造方法は、縦孔４１および縦孔４１と交差させられた横孔４３を有する、柄１３のメインボディ２１を一次樹脂成形し、毛１１を撚り合わせたワイヤー１２の基部を、横孔４３に臨ませられるように縦孔４１に挿入し、横孔４３を通じて、ワイヤー１２の基部に抜止用屈曲部５１を形成し、柄１３のサブボディ２２を、その一部が屈曲部５１の周囲を取囲んで横孔４３内に充満させられるように二次樹脂成形するものである。【選択図】  図５
2004344229.tif 000002
【特許請求の範囲】
【請求項１】
毛１１、毛１１を撚り合わせたワイヤ１２ーおよびワイヤー１２に取付られた柄１３よりなり、柄１３が、メインボディ２１およびサブボディ２２よりなり、メインボディ２１に、ワイヤー１２の基部を挿入した縦孔４１および縦孔４１と交差させられた横孔４３が形成されており、ワイヤー１２の基部に、抜止用屈曲部５１が横孔４３に臨ませられるように形成されており、サブボディ２２に、屈曲部５１の周囲を取囲んで横孔４３内に充満させられた係止部５２が設けられている歯間ブラシ。
【請求項２】
メインボディ２１の表面の一部にサブボディ２２が被覆させられており、メインボディ２１およびサブボディ２２の識別性が互いに相違させられている請求項１に記載の歯間ブラシ。
【請求項３】
メインボディ２１およびサブボディ２２が、合成樹脂製である請求項２に記載の歯間ブラシ。
【請求項４】
識別性の相違が、色、光沢および材質の少なくともいずれか１つに基因させられている請求項２に記載の歯間ブラシ。
【請求項５】
メインボディ２１が、肩部３１、尻部３３およびこれらを低い段を介して連絡している胴部３２よりなり、横孔４３が、胴部３２に位置されられており、サブボディ２２が、胴部３２に被覆させられており、肩部３１および尻部３２表面と、これらに隣接させられたサブボディ２２表面との境界が面一となされている請求項１〜４のいずれか１つに記載の歯間ブラシ。
【請求項６】
縦孔４１および縦孔４１と交差させられた横孔４３を有する、柄１３のメインボディ２１を一次樹脂成形し、毛１１を撚り合わせたワイヤー１２の基部を、横孔４３に臨ませられるように縦孔４１に挿入し、横孔４３を通じて、ワイヤー１２の基部に抜止用屈曲部５１を形成し、柄１３のサブボディ２２を、その一部が屈曲部５１の周囲を取囲んで横孔４３内に充満させられるように二次樹脂成形する歯間ブラシの製造方法。
【請求項７】
屈曲部５１の形成を、横孔４３に棒状ジグＪを挿入し、ジグＪの先端部をワイヤー１２の基部の屈曲部形成予定部に押当てることによって行う請求項６に記載の歯間ブラシの製造方法。
【請求項８】
一次樹脂成形および二次樹脂成形に際し、同一の材料を用いる請求項６または７に記載の歯間ブラシの製造方法。
【発明の詳細な説明】
【０００１】
【産業上の利用分野】
この発明は、歯間ブラシおよびその製造方法に関する。
【０００２】
【従来の技術】
この種の歯間ブラシとしては、毛、毛を撚り合わせたワイヤーおよびワイヤーに取付られた柄よりなり、ワイヤーの基部に抜止用屈曲部が形成されており、柄に対するワイヤーの取付が、これらのインサート樹脂成形によって果たされているものが知られている（例えば、特許文献１参照。）。
【０００３】
【特許文献１】実開昭６２−１７４４２３号公報
【０００４】
【発明が解決すべき課題】
インサート樹脂成形は、成型用金型の構造が複雑で、高価につき、設備費が高い。また、金型にワイヤーをセットする作業は時間と手間が掛かり面倒である。したがって、インサート樹脂成形によって製造された歯間ブラシは高価である。
【０００５】
この発明の目的は、安価な歯間ブラシおよびこれを製造することのできる製造方法を提供することにある。
【０００６】
【課題を解決するための手段】
この発明による歯間ブラシは、毛、毛を撚り合わせたワイヤーおよびワイヤーに取付られた柄よりなり、柄が、メインボディおよびサブボディよりなり、メインボディに、ワイヤーの基部を挿入した縦孔および縦孔と交差させられた横孔が形成されており、ワイヤーの基部に、抜止用屈曲部が横孔に臨ませられるように形成されており、サブボディに、屈曲部の周囲を取囲んで横孔内に充満させられた係止部が設けられているものである。
【０００７】
この発明による歯間ブラシでは、インサート樹脂成形を用いることなく、単なる樹脂成形によって製造することが可能である。したがって、安価な歯間ブラシが提供される。
【０００８】
さらに、メインボディの表面の一部にサブボディが被覆させられており、メインボディおよびサブボディの識別性が互いに相違させられていると、視覚的な訴求力を付加することができる。
【０００９】
また、メインボディおよびサブボディが、合成樹脂製であると、樹脂同士の嵌合性が高く、メインボディおよびサブボディの結合力を強化することができる。
【００１０】
また、識別性の相違が、色、光沢および材質の少なくともいずれか１つに基因させられていると、識別性の相違を簡単に変更することができる。
【００１１】
さらに、メインボディが、肩部、尻部およびこれらを低い段を介して連絡している胴部よりなり、横孔が、胴部に位置されられており、サブボディが、胴部に被覆させられており、肩部および尻部表面と、これらに隣接させられたサブボディ表面との境界が面一となされていると、柄全体に平滑な印象を与えることができ、商品性の向上に貢献できる。
【００１２】
この発明のよる歯間ブラシの製造方法は、縦孔および縦孔と交差させられた横孔を有する、柄のメインボディを一次樹脂成形し、毛を撚り合わせたワイヤーの基部を、横孔に臨ませられるように縦孔に挿入し、横孔を通じて、ワイヤーの基部に抜止用屈曲部を形成し、柄のサブボディを、その一部が屈曲部の周囲を取囲んで横孔内に充満させられるように二次樹脂成形するものである。
【００１３】
この発明のよる歯間ブラシの製造方法では、毛、ワイヤーおよび柄を、それぞれに別々の工程で製造することができ、シンプルな工程でもって歯間ブラシを製造することができる。したがって、歯間ブラシの製造費が安価で済む。
【００１４】
さらに、屈曲部の形成を、横孔に棒状ジグを挿入し、ジグの先端部をワイヤーの基部の屈曲部形成予定部に押当てることによって行うと、屈曲部を形成するためのジグの一部の役割をメインボディが果たすし、屈曲部の形成そのものも簡単である。
【００１５】
また、一次樹脂成形および二次樹脂成形に際し、同一の材料を用いると、材料費の節約にもなるし、製造工程の管理を容易に行うことができる。ただし、一次樹脂成形および二次樹脂成形に際し、異なる材料を用いてもよい。
【００１６】
【発明の実施の形態】
この発明の実施の形態を図面を参照してつぎに説明する。
【００１７】
以下の説明において、内外とは、図１〜図３を基準として、その上側を前、下側を外というものとする。さらに、左右とは、図２の左右の側をそれぞれ左右といい、上下とは、図３の左右の側をそれぞれ上下という。
【００１８】
図１〜図３を参照すると、歯間ブラシは、ナイロン毛１１、ステンレスワイヤー１２および熱可塑性合成樹脂製柄１３よりなる。
【００１９】
毛１１は、多数の束に分けられている。２つ折りにされたワイヤー１２の間に毛１１が束毎に挟まれてワイヤー１２が撚り合わされている。これにより、植毛１１された先部分および無毛１１の基部を有する毛付撚りワイヤー１４が構成されている。
【００２０】
柄１３は、メインボディ２１およびサブボディ２２よりなる。メインボディ２１およびサブボディ２２は、ポリエチレンの射出成型によって形成されたものである。なお、メインボディ２１およびサブボディ２２の材料として、同じ材料を用いてもよいし、異なる材料を用いてもよい。異なる材料を用いる例としては、たとえば、メインボディ２１をポリエチレン製とし、サブボディ２２をＥＰＤＭ等のゴム質の合成樹脂製とすることが挙げられる。
【００２１】
メインボディ２１は、図４に最もあきらかに示されているように、全体として、内外方向にのびた直線棒状をなすもので、略内向き円錐状肩部３１、丸棒状胴部３２および円柱状尻部３３よりなる。肩部３１の内端部からは細い丸棒状首部３４が内側に向かって突き出している。
【００２２】
肩部３１および胴部３２の境界には、肩部３１より低い肩側段３５が形成されている。尻部３３および胴部３２の境界には、尻部３３より低い尻側段３６が形成されている。肩側段３５は、上下方向から見て、尻部３３に向かって開放された凹状Ｕ字部３７と、両Ｕ字部３７の先端同士を連絡している２つ凸状逆Ｕ字部３８とよりなる。尻側段３６は、メインボディ２１の全周にわたって繋がった環状部３９よりなる。
【００２３】
首部３４の先端から胴部３２を内外に貫通して胴部３２の内端部まで達するように縦孔４１が形成されている。縦孔４１の径は、毛付撚りワイヤー１４を緩く挿通させる大きさである。縦孔４１と交差させられるように２つの横孔４２、４３  が内外に並んで胴部３２を上下に貫通するように形成されている。
【００２４】
２つの横孔４２、４３  の外側に位置して、胴部３２の上下両側面には内外に長い方形隆起部４４が形成されるとともに、胴部３２の左右両側面には円形状突起４５が３つずつ内外に並んで設けられている。
【００２５】
縦孔４１には毛付撚りワイヤー１４の基部が２つの横孔４２、４３  にそれぞれ臨ませられるように挿入されている。同基部における外側の横孔４３を臨む位置にはＶ字状屈曲部５１が設けられている。
【００２６】
サブボディ２２は、胴部３２の表面全体に被覆されるように形成されている。サブボディ２２の一部は、２つの横孔４２、４３  内に充満させられている。外側の横孔４３内において屈曲部５１の周囲は、サブボディ２２によって取り囲まれており、これが、屈曲部５１に対する係止部５２を構成している。また、肩側段３５および尻側段３６は、サブボディ２２によってそれぞれの段差が埋められている。これにより、肩部３１および尻部３３表面と、これらに隣接させられたサブボディ２２表面との境界が面一となされている。さらに、隆起部４４および突起４５の先端部は、サブボディ２２表面に露出させられている。
【００２７】
メインボディ２１およびサブボディ２２を構成している樹脂の色は、互いに相違させられている。例えば、その色を、メインボディ２１が青、サブボディ２２が白を採用したとすると、柄１３は、清潔感に溢れるツートンカラーで彩られることになる。
【００２８】
屈曲部５１には係止部５２が固着されているため、歯間ブラシの使用の際に、引っ張られたり、捻られたりする力が毛付撚りワイヤー１４に作用しても、柄１３から毛付撚りワイヤー１４が脱落する等の心配は、皆無である。
【００２９】
つぎに、歯間ブラシの製造方法について図５を参照しながら説明する。まず、メインボディ２１を一次成型する。このときに、縦孔４１および横孔４２、４３  は同時に形成される。ついで、横孔４２、４３  に、あらかじめ別成形しておいた毛付撚りワイヤー１４の基部を挿入する。そして、横孔４２、４３  に棒状ジグＪを挿入し、その先端で毛付撚りワイヤー１４の基部の屈曲部５１となるべき部分を加圧し、同部分をこれに屈曲部５１が形成されるように変形させる。最終的に、ジグＪを横孔４２、４３  から抜き去った後に、二次成型によってサブボディ２２を形成する。メインボディ２１およびサブボディ２２は互いに固着されて分離する心配は無い。
【００３０】
【発明の効果】
この発明によれば、安価な歯間ブラシおよびこれを製造することのできる製造方法が提供される。
【図面の簡単な説明】
【図１】この発明による歯間ブラシの斜視図である。
【図２】図１のＩＩ−ＩＩ線にそう縦断面図である。
【図３】図１のＩＩＩ  −ＩＩＩ  線にそう縦断面図である。
【図４】同歯間ブラシの毛付撚りワイヤーおよび柄のメインボディの分解斜視図である。
【図５】同歯間ブラシの製造工程図である。
【符号の説明】
１１  毛
１２  ワイヤー
１３  柄
２１  メインボディ
２２  サブボディ
４１  縦孔
４３  横孔
５１  屈曲部
５２  係止部
Ｊ  ジグ
【図１】
2004344229.tif 000003
【図２】
2004344229.tif 000004
【図３】
2004344229.tif 000005
【図４】
2004344229.tif 000006
【図５】
2004344229.tif 000007